(57)【特許請求の範囲】
【請求項１】
撮影光学系により形成された被写体像をファインダビューにより光学的に観察可能な光学ファインダと、
撮影光学系により形成された被写体像を撮像する撮像手段と、
前記撮像手段により撮像された被写体像をライブビューにより観察可能な表示手段と、
前記光学ファインダの近傍に設けられ、撮影光学系により形成された被写体像の明るさを検出して測光値を得る測光手段と、
前記測光手段で得られた被写体像の測光値を所定時間からなる区間ごとに連続して記憶する記憶手段と、
前記光学ファインダの接眼位置における遮蔽物の接近を検知する遮蔽物検知手段と、
前記遮蔽物検知手段により遮蔽物の接近が検知されている間は、前記記憶手段に記憶した一区間分の測光値を当該記憶手段に記憶してから一定時間経過後に削除する測光値更新手段と、
前記遮蔽物検知手段により遮蔽物の接近が検知されなくなったときは、前記記憶手段に記憶している測光値を削除しないように保持し、被写体像の観察がファインダビューからライブビューに切り替えられたときは、前記遮蔽物検知手段により遮蔽物の接近が検知されなくなった時点から遡って一つ前の区間で記憶した一区間分の測光値を前記記憶手段から読み出し、当該測光値に基づいてライブビュー開始直後の被写体像の露出を決定する測光値制御手段と、
を備えることを特徴とする撮像装置。
【請求項２】
請求項１に記載の撮像装置であって、
撮像光学系を通過した被写体光を反射する反射材からなり、前記撮像装置内の定位置から所定方向に回動自在に構成され、ファインダビューでは定位置に固定されて被写体光を前記光学ファインダ側へ反射し、ライブビューでは所定方向に回動することで被写体光を前記撮像手段側へ導く回動ミラーを備え、
当該回動ミラーを定位置又は所定方向に回動させることにより、ファインダビューとライブビューとの切り替えを行うこと、
を特徴とする撮像装置。
【請求項３】
請求項１に記載の撮像装置であって、
前記測光値制御手段は、
前記遮蔽物検知手段により遮蔽物の接近が検知されなくなったときは、前記記憶手段への測光値の記憶を停止し、前記遮蔽物検知手段により遮蔽物の接近が検知されたときは、前記記憶手段への測光値の記憶を開始すること、
を特徴とする撮像装置。
【発明の詳細な説明】
【技術分野】
【０００１】
本発明は、デジタル一眼レフカメラなどの撮像装置に関するものである。
【背景技術】
【０００２】
近年、デジタル一眼レフカメラにおいては、撮像している画像をカメラ背面の液晶モニタで観察しながら撮影する、いわゆるライブビューと呼ばれる機能を備えたものが主流になっている。このようなライブビューでの画像表示を可能とするため、記録用の撮像素子（イメージセンサ）とは別に、ライブビュー専用の撮像素子を設けた機種がある（例えば、特許文献１参照）。
【先行技術文献】
【特許文献】
【０００３】
【特許文献１】特開２００７−４１１５０号公報
【発明の概要】
【発明が解決しようとする課題】
【０００４】
上記のようなライブビュー専用の撮像素子を設けたものでは、ファインダビューによる観察中であっても、ライブビュー専用の撮像素子による測光が可能であるため、ファインダビューからライブビューに切り替えた直後であっても、ライブビュー開始時には適正な露出で画像を表示することができる。一方、ライブビュー専用の撮像素子を持たない機種では、ライブビュー中はミラーアップ、シャッタ開放とし、記録用の撮像素子で撮像した画像を液晶モニタに表示するようにしている。
【０００５】
このようなライブビュー専用の撮像素子を持たない機種において、ファインダビューからライブビューに切り替えた直後の測光は、測光センサによる測光値（ファインダスクリーンで分岐した光の測光値）を利用している。この切り替えの際、撮影者はファインダから顔を離すことになる。このとき、外部からの強い光がファインダの開口部からファインダ内に逆入射光として入り込むことがある。通常、測光センサはファインダ光学系の近傍に配置されているため、ファインダから逆入射光が入り込むと、測光素子は逆入射光の影響を受けた測光値を検出してしまう。このため、ファインダに逆入射光が入り込むと、ファインダビューからライブビューに切り替えた直後において、ライブビュー開始時に適正な露出で画像を表示できなくなることがある。
【０００６】
本発明の課題は、ファインダに逆入射光が入り込んだ場合でも、ファインダビューからライブビューに切り替えた直後のライブビュー開始時に適正な露出で画像を表示することができる撮像装置を提供することである。
【課題を解決するための手段】
【０００７】
本発明は、以下のような解決手段により前記課題を解決する。なお、理解を容易にするために、本発明の実施形態に対応する符号を付して説明するが、これに限定されるものではない。
請求項１に記載の発明は、撮影光学系（４）により形成された被写体像をファインダビューにより光学的に観察可能な光学ファインダ（２４）と、撮影光学系により形成された被写体像を撮像する撮像手段（７）と、前記撮像手段により撮像された被写体像をライブビューにより観察可能な表示手段（８）と、前記光学ファインダの近傍に設けられ、撮影光学系により形成された被写体像の明るさを検出して測光値を得る測光手段（３２）と、前記測光手段で得られた被写体像の測光値を所定時間からなる区間ごとに連続して記憶する記憶手段（３３）と、前記光学ファインダの接眼位置における遮蔽物の接近を検知する遮蔽物検知手段（２５）と、前記遮蔽物検知手段により遮蔽物の接近が検知されている間は、前記記憶手段に記憶した一区間分の測光値を当該記憶手段に記憶してから一定時間経過後に削除する測光値更新手段（１５）と、前記遮蔽物検知手段により遮蔽物の接近が検知されなくなったときは、前記記憶手段に記憶している測光値を削除しないように保持し、被写体像の観察がファインダビューからライブビューに切り替えられたときは、前記遮蔽物検知手段により遮蔽物の接近が検知されなくなった時点から遡って一つ前の区間で記憶した一区間分の測光値を前記記憶手段から読み出し、当該測光値に基づいてライブビュー開始直後の被写体像の露出を決定する測光値制御手段（１５）とを備えることを特徴とする撮像装置である。
請求項２に記載の発明は、請求項１に記載の撮像装置であって、撮像光学系（４）を通過した被写体光を反射する反射材からなり、前記撮像装置内の定位置から所定方向に回動自在に構成され、ファインダビューでは定位置に固定されて被写体光を前記光学ファインダ（２４）側へ反射し、ライブビューでは所定方向に回動することで被写体光を前記撮像手段（７）側へ導く回動ミラーを（１１）備え、当該回動ミラーを定位置又は所定方向に回動させることにより、ファインダビューとライブビューとの切り替えを行うことを特徴とするものである。
請求項３に記載の発明は、請求項１に記載の撮像装置であって、前記測光値制御手段（１５）は、前記遮蔽物検知手段（２５）により遮蔽物の接近が検知されなくなったときは、前記記憶手段（３３）への測光値の記憶を停止し、前記遮蔽物検知手段により遮蔽物の接近が検知されたときは、前記記憶手段への測光値の記憶を開始することを特徴とするものである。
なお、符号を付して説明した構成は、適宜改良してもよく、また、少なくとも一部を他の構成物に代替してもよい。
【発明の効果】
【０００８】
本発明によれば、光学ファインダに逆入射光が入り込んだ場合であっても、ファインダビューからライブビューに切り替えた直後のライブビュー開始時に適正な露出で画像を表示することができる撮像装置を提供することができる。
【図面の簡単な説明】
【０００９】
【図１】実施形態に係わるカメラの主要部分の構成（ミラーダウン時）を示す断面図である。
【図２】実施形態に係わるカメラの主要部分の構成（ミラーアップ時）を示す断面図である。
【図３】カメラ本体の電気的な構成を示すブロック図である。
【図４】測光メモリに記憶される測光値を示す模式図である。
【図５】被写体像の撮像から記録までの一連の処理手順を示すフローチャートである。
【発明を実施するための形態】
【００１０】
以下、図面を参照して、本発明に係わる撮像装置の実施形態ついて説明する。図１は、本実施形態に係わるカメラ１の主要部分の構成を示す断面図である。カメラ１はデジタル一眼レフカメラであり、カメラ本体２と、カメラ本体２に対して着脱自在に装着されるレンズ鏡筒３とを備えている。
【００１１】
レンズ鏡筒３は、被写体光Ａが入射する複数の撮影レンズ４及び絞りユニット５が内部に設けられている。撮影レンズ４は、入射した被写体光Ａを屈折させてカメラ本体２側に出射する光学部材である。また、絞りユニット５は、撮影レンズ４を通過する被写体光Ａの光量を調節するものであり、機械的又は電気的に制御されている。
【００１２】
カメラ本体２は、ミラーユニット１０、ファインダ光学部２０、測光部３０、シャッタ６、撮像部７、液晶モニタ８などを備えている。以下、各部について説明する。
【００１３】
シャッタ６は、ミラーユニット１０の後方に配置されている。シャッタ６には、ミラーユニット１０が上へ回動して撮影可能状態となったときに被写体光Ａが入射される。シャッタ６は不図示の複数のシャッタ羽根を備えている。シャッタ６は、レリーズボタンなどによる撮影指示に応じてシャッタ羽根を開閉させ、撮像部７に被写体光Ａを入射する。シャッタ６の動作は、不図示のシャッタユニットにより制御されている。
【００１４】
撮像部７は、撮影レンズ４により形成された被写体像を撮像する部分であり、被写体光Ａを露光して電気的な画像信号に変換し、画像処理部（図３参照）へ出力する。撮像部７は、例えばＣＣＤ、ＣＭＯＳなどの撮像素子により構成されている。
【００１５】
液晶モニタ８は、カメラ本体２の背面に設けられ、撮像部７で撮影した被写体像（再生画像、ライブビュー画像）や操作に関連した情報などを表示するカラー液晶ディスプレイにより構成されている。
【００１６】
ミラーユニット１０は、回転可能なメインミラー１１及びサブミラー１２を有している。ミラーユニット１０は撮影レンズ４からの光が入射する位置に設けられ、ファインダ光学部２０、又はシャッタ６及び撮像部７に被写体光Ａを入射させる。
【００１７】
メインミラー１１は、被写体光Ａをファインダ光学部２０に反射させるものである。このメインミラー１１の中央部には、光の一部を透過させる特性を有する半透過ミラーが用いられている。メインミラー１１は、被写体光Ａの一部を透過させてサブミラー１２に被写体光Ａを入射させる。また、メインミラー１１は、端部に不図示の回動部を有しており、カメラ本体２の内部において上方に回動可能に構成されている。
【００１８】
サブミラー１２は、メインミラー１１を透過した被写体光Ａの一部を、ミラー１３とともに測距センサ９に反射させる反射ミラーである。サブミラー１２はメインミラー１１に対して回動可能に取り付けられており、その回動によりメインミラー１１に折り畳まれた状態及びメインミラー１１の裏側で起立した状態となる。
【００１９】
測距センサ９は、サブミラー１２及びミラー１３の近辺に配置されている。この測距センサ９は、画面内に設定された所定の測距エリアにおいて被写体像のデフォーカス量を検出するものである。この測距センサ９で検出されたデフォーカス量に基づいて自動焦点調節が行われる。
【００２０】
メインミラー１１及びサブミラー１２は、ファインダビューでは、図１に示す定位置に固定されて、被写体光Ａをファインダ光学部２０及び測距センサ９へそれぞれ反射する。このファインダ光学部２０への反射により、撮影者は被写体像を光学ファインダ２４で観察することができる。そして、ライブビューへの切り替えが行われたとき、又は撮影のために不図示のレリーズボタンが全押されたときには、図２に示すように、メインミラー１１が上方に回動してファインダ光学部２０へ退避し、それと同時にサブミラー１２が回動してメインミラー１１に重なるように折り畳まれた状態となる（ミラーアップ）。このとき、シャッタ６のシャッタ羽根も回動し、シャッタ６が開放される。これにより、被写体光Ａが撮像部７に入射されてライブビュー又は記録のための撮影が可能となる。このように、本実施形態では、メインミラー１１を定位置又は上方に回動させることにより、ファインダビューとライブビューとの切り替えが行われることになる。なおメインミラー１１とサブミラー１２の動作は不図示のミラー駆動部により制御されている。
【００２１】
ファインダ光学部２０は、ファインダスクリーン２１、ペンタプリズム２２及び接眼レンズ２３を備えている。ファインダスクリーン２１は、ミラーユニット１０の上方に配置されており、ミラーユニット１０で反射された被写体光Ａがファインダスクリーン２１に投影されて被写体像が形成される。ファインダスクリーン２１上の被写体像からの光は、ペンタプリズム２２によって接眼レンズ２３に導かれ、接眼レンズ２３から光学ファインダ２４に導かれる。これにより、撮影者は光学ファインダ２４を覗いて被写体像を観察することができる。光学ファインダ２４は接眼レンズ２３の後方側に配置されている。また、ファインダスクリーン２１に投影された被写体像は、ペンタプリズム２２を介して測光部３０へも導かれる。
【００２２】
測光部３０は、プリズムやレンズなどの測光光学系３１及び測光センサ３２を備えている。測光部３０はペンタプリズム２２からの分岐光を測光センサ３２に入射させるものである。測光センサ３２は、入射した分岐光に基づいて被写体光像の明るさ（輝度）を検出して測光値を得る測光手段として機能する。この測光センサ３２で得られた測光値は、測光メモリ３３に記憶される。測光メモリ３３では、測光センサ３２で得られた測光値が所定時間からなる区間ごとに連続して記憶される。この測光メモリ３３における測光値の記憶、削除については後述する。
【００２３】
また、カメラ本体２の背面であって、光学ファインダ２４の接眼位置には、撮影者の光学ファインダ２４への接近、非接近を検知する接近検知部２５が設けられている。この接近検知部２５は赤外線センサを備えたアイセンサにより構成され、光学ファインダ２４への撮影者（おもに顔）の接近を検知したときは制御部１５に検知信号を出力し、撮影者の接近を検知しないときは非検知信号を出力する（又は信号出力なし）。すなわち接近検知部２５は、光学ファインダ２４の接眼位置における遮蔽物の接近を検知する遮蔽物検知手段として機能する。
【００２４】
なお、図１には示していないが、カメラ本体２には、撮影者による操作入力手段（操作部材）として、各種のダイアル、レバー、スイッチ、ボタンなどが配置されている。本実施形態では説明を簡単にするため、ファインダビューからライブビューへの切り替えは、不図示のダイアル操作により行われるものとする。ただし、ファインダビューからライブビューへの切り替えは他の操作によるものであってもよい。例えば、ダイアル操作によりライブビューモードが設定され、その状態でレリーズボタン２６が全押しされたときにライブビューが開始されるというものであってもよい。
【００２５】
次に、カメラ本体２の電気的な構成を図３に示すブロック図を参照しながら説明する。図３では、図１と同等部分を同一符号で示している。以下、各部について説明する。
【００２６】
画像処理部１４は、撮像部７から出力された画像信号に対し、ノイズ除去、Ａ／Ｄ変換、色補正処理、サイズ変更、符号化などの、アナログ及びデジタルの処理を行い、最終的な画像データを作成する。この画像データはＤＲＡＭ１８に一時的に記憶される。
【００２７】
ＥＥＰＲＯＭ１６は、カメラ１の電源がオフしても記憶した情報を保持する不揮発性メモリであり、ユーザ設定やカスタム設定などの入力情報が記憶される。
【００２８】
ＲＯＭ１７は、カメラ１の動作や制御に必要なプログラムのほか、このプログラムの実行に必要な初期値や設定値などが記憶される。
【００２９】
ＤＲＡＭ１８は、カメラ１の電源がオフしたときに記憶した情報が消去される揮発性メモリであり、上述した画像データのほか、画像処理部１４、制御部１５などが処理を行う際に必要なデータが一時的に記憶される。
【００３０】
メモリカードＩ／Ｆ（インターフェース）部１９は、ＤＲＡＭ１８に記憶されている画像データをメモリカード２７に記録し、またメモリカード２７に記録されている画像データを読み出す機能を備えた書き込み／読み出し装置である。このメモリカードＩ／Ｆ部１９の図示しないメモリカードスロットには、メモリカード２７が着脱自在に装着される。
【００３１】
制御部１５は、カメラ１全体の動作を制御する回路であり、マイクロプロセッサにより構成されている。以下、制御部１５により実行される各種の機能について説明する。
【００３２】
制御部１５は、レリーズボタン２６が半押しされると、測距センサ９で検出された被写体像のデフォーカス量に基づいてレンズ駆動量を演算する。このレンズ駆動量に関する情報をレンズ鏡筒３側の図示しないレンズ制御部へ送信することにより、レンズ鏡筒３のレンズ内モータによる焦点調節がなされる。又は、このレンズ駆動量に基づいて図示しないボディ内モータを駆動することにより、カップリング機構を介して駆動力がレンズ鏡筒３側に伝達されて焦点調節がなされるものであってもよい。
【００３３】
制御部１５は、接近検知部２５により撮影者の接近が検知されている間は、測光メモリ３３に記憶した一区間分の測光値を、この測光メモリ３３に記憶してから一定時間経過後に削除する測光値更新手段として機能する。また、制御部１５は、測光値更新手段の機能として、接近検知部２５により撮影者の接近が検知されなくなったときは、測光メモリ３３への測光値の記憶を停止し、接近検知部２５により撮影者の接近が検知されたときは、測光メモリ３３への測光値の記憶を開始（再開）するようにしている。ここで、測光メモリ３３における測光値の記憶、削除について説明する。
【００３４】
図４は、測光メモリ３３に記憶される測光値を模式的に示したものである。図４に示すように、測光メモリ３３には、測光センサ３２で得られた測光値が時間ｔ１からなる区間ごとに時系列に連続して記憶される。制御部１５は、測光メモリ３３に記憶した一区間分の測光値を、この測光メモリ３３に記憶してから時間ｔ２経過後に削除している。例えば、ｎ−２区間の測光値は、その一区間分の記憶が終了してから時間ｔ２が経過したとき、すなわちｎ区間の測光値の記憶が終了した時点で削除されることになる。以後、時間ｔ２が経過する毎に、記憶している一区間分の測光値が順次削除され、測光メモリ３３には、最も新しい２区間分の測光値が記憶されることになる。ただし、測光値の記憶終了から削除するまでの時間ｔ２はこの例に限らず、更に長くしてもよい。なお、測光メモリ３３に記憶している測光値は、カメラ１の電源オフになった時点ですべて削除される。
【００３５】
また制御部１５は、接近検知部２５により撮影者の接近が検知されなくなったときは、その時点で測光メモリ３３に記憶している測光値を削除しないように保持し、その後に被写体像の観察がファインダビューからライブビューに切り替えられたときは、接近検知部２５により撮影者の接近が検知されなくなった時点から遡って一つ前の区間で記憶した一区間分の測光値を測光メモリ３３から読み出し、この測光値に基づいてライブビュー開始直後の被写体像の露出を決定する測光値制御手段として機能する。
【００３６】
この測光値制御手段の機能を図４により説明する。図４において、ｎ区間の測定値を記憶している間に、接近検知部２５により撮影者の接近が検知されなくなったとする。このとき、制御部１５は、測光値制御手段の機能として、測光メモリ３３に記憶している測光値を削除しないように保持する。また、測光値更新手段の機能として、測光メモリ３３への測光値の記憶を停止する。この後、被写体像の観察がファインダビューからライブビューに切り替えられた場合は、測光値制御手段の機能として、接近検知部２５により撮影者の接近が検知されなくなった時点から遡って一つ前の区間、すなわちｎ−１区間で記憶した一区間分の測光値を測光メモリ３３から読み出すようにしている。
【００３７】
先に説明したように、ファインダビューからライブビューへ切り替えた直後の測光は、測光センサ３２による測光値を利用している。この切り替えの際、撮影者は光学ファインダ２４から顔を離すことになる。このとき、外部からの強い光が光学ファインダ２４の開口部からファインダ内に逆入射光として入り込むと、測光センサ３２では逆入射光の影響を受けた測光値を検出してしまう。したがって、接近検知部２５により撮影者の接近が検知されなくなった時点、すなわち、図４に示すｎ区間の測光値は逆入射光の影響を受けていることになる。これに対して、接近検知部２５により撮影者の接近が検知されなくなった時点から遡って一つ前のｎ−１区間で記憶した一区間分の測光値は逆入射光の影響を受けていないため、この区間の測光値に基づいて被写体像の露出を決定することにより、ライブビューに切り替えた直後のライブビュー開始時に適正な露出で画像を表示することができることになる。
【００３８】
次に、本実施形態のカメラ１において、被写体像の撮像から記録までの一連の処理手順を図５のフローチャートにより説明する。ここでは、主にファインダビューからライブビューへの切り替えと測光値の制御について説明するものとし、その他の処理については適宜に説明を省略している。なお、このフローチャートの処理は、撮影者がレリーズボタン２６を半押しすることによりスタートする。また、フローチャートの処理がスタートしたときに、撮影者はファインダビューにより被写体像を観察しているものとする。
【００３９】
ステップＳ１０１において、測光センサ３２は被写体光像の明るさを検出して測光値を得るとともに、その測光値を測光メモリ３３に記憶する。
【００４０】
ステップＳ１０２において、測距センサ９は、画面内に設定された所定の測距エリアにおいて被写体像のデフォーカス量を検出し、これを制御部１５に送信する。
【００４１】
ステップＳ１０３において、制御部１５は、レリーズボタン２６が全押しされたかどうかを判定する。このステップＳ１０３の判定でＮＯであれば、ステップＳ１０４へ進み、接近検知部２５において撮影者の接近を検知したかどうかを判定する。このステップＳ１０４の判定でＹＥＳであればステップＳ１０１へリターンする。すなわち、撮影者の接近が検知されている間はファインダビューの状態であるため、記録用の撮影のために測光と測距を繰り返す。
【００４２】
一方、ステップＳ１０４の判定でＮＯのとき、すなわち、接近検知部２５において撮影者の接近を検知しなくなったときはステップＳ１０５へ進み、測光メモリ３３への測光値の記憶を停止するとともに、すでに記憶している測光値が削除されないように測光メモリ３３を制御する（測光値の保持）。
【００４３】
続いて、ステップＳ１０６において、制御部１５は、撮影者の操作入力によりファインダビューからライブビューへの切り替え指示があるかどうかを判定する。このステップＳ１０６の判定でＮＯであれば、ステップＳ１０４へリターンする。また、ステップＳ１０６の判定でＹＥＳであれば、ステップＳ１０７へ進み、接近検知部２５において撮影者の接近を検知しなくなった時点から遡って一つ前の区間で記憶した一区間分の測光値を測光メモリ３３から読み出す。
【００４４】
そして、ステップＳ１０８において、制御部１５は、不図示のミラー駆動部を制御して、メインミラー１１とサブミラー１２を上方に回動させて光路上から退避させる（ミラーアップ）。ステップＳ１０９において、制御部１５は、不図示のシャッタユニットを制御して、シャッタを開放状態とする。
【００４５】
続いて、ステップＳ１１０において、制御部１５は、撮像部７で撮像された被写体像の画像を液晶モニタ８に表示する（ライブビュー開始）。ライブビュー開始時には、ステップＳ１０７で読み出した測光値に基づいて被写体像の露出が決定される。このため、ライブビューに切り替えた直後のライブビュー開始時において適正な露出で画像が表示されることになる。
【００４６】
なお、ライブビューでは、画像処理部１４で生成された画像データを所定周期で繰り返し読み出すことにより画像の表示が行われる。ステップＳ１０７で読み出した測光値に基づいて被写体像の露出を決定する制御はライブビュー開始から１〜２秒又は数フレーム分行い、その後は、撮像部７での撮像により得られた画像データの測光値に基づいて被写体像の露出を決定する。このため、ライブビュー開始直後から、撮像部７の測光値により画像が表示されるまで、連続して適正な露出の画像が表示されることになる。
【００４７】
ステップＳ１１１において、制御部１５は、画像処理部１４で生成された画像データに基づいて測光と焦点調節を行う。なお、ライブビュー中はコントラストＡＦにより焦点調節が行われる。ただし、ライブビュー開始後に、例えばレリーズボタン２６が半押しされたときはライブビューを一時中断して、測光センサ３２による測光と測距センサ９による位相差ＡＦによる焦点調節を行うようにしてもよい。
【００４８】
ステップＳ１１２において、制御部１５は、レリーズボタン２６が全押しされたかどうかを判定する。このステップＳ１１２の判定でＮＯであれば、ステップＳ１１３へ進み、撮影者の操作入力によりライブビューからファインダビューへの切り替え指示があるかどうかを判定する（ライブビュー解除）。このステップＳ１１３の判定でＹＥＳであれば、ステップＳ１０１へリターンする。またステップＳ１１３の判定でＮＯであれば、ステップＳ１１０へリターンしてライブビューを継続する。
【００４９】
また、制御部１５は、ステップＳ１１２の判定でＹＥＳのとき、又はステップＳ１０３の判定でＹＥＳのとき、すなわちレリーズボタン２６が全押しされたときは、ステップＳ１１４へ進み、撮像処理を実行する。ここでは、上方に回動させていたメインミラー１１及びサブミラー１２をミラーダウンし、測光センサ３２による測光と、測距センサ９による位相差ＡＦによる焦点調節を行った後、撮像部７により撮像を行う。そして、画像処理部１４において画像データを生成する。次に、ステップＳ１１５において、画像データをメモリカードＩ／Ｆ部１９を介してメモリカード２７へ記録する。
【００５０】
上記実施形態によれば、以下の効果を奏する。
（１）本実施形態では、撮影者の接近が検知されないときは、測光メモリ３３に記憶している測光値を削除しないように保持し、その後にファインダビューからライブビューに切り替えられたときは、撮影者の接近が検知されなくなった時点から遡って一つ前の区間で記憶した一区間分の測光値に基づいてライブビュー開始直後の被写体像の露出を決定するようにしている。このため、撮影者がファインダから顔を離したときに、外部からの強い光がファインダ内に逆入射光として入り込んだとしても、ファインダビューからライブビューに切り替えた直後の被写体像の露出は、逆入射光の影響を受けていない測光値に基づいて決定されるため、ファインダビューからライブビューに切り替えた直後のライブビュー開始直後においても適正な露出で画像を表示することができる。
【００５１】
（２）撮影者の接近が検知されないときは測光メモリ３３への測光値の記憶を停止するようにしたので、逆入射光の影響を受けた測光値が測光メモリ３３に記憶されることを防ぐことができる。また、撮影者の接近が検知されたときは測光メモリ３３への測光値の記憶を開始するようにしたので、撮影者がファインダビューによる観察中に一時的にファインダから顔を離した場合でも、撮影者はファインダビューによる観察に戻るだけで再び測光メモリ３３への測光値の記憶を行うことができる。
【００５２】
（変形形態）
以上説明した実施形態に限定されることなく、本発明は以下に示すような種々の変形や変更が可能であり、それらも本発明の範囲内である。
（１）本実施形態では、撮影者の操作によりファインダビューからライブビューへ切り替える例について示したが、これに限らず、接近検知部２５で撮影者の接近を検知しなければ、自動的にファインダビューからライブビューへ切り替えるようにしてもよい。
【００５３】
（２）本実施形態では、遮蔽物検知手段となる接近検知部２５を、赤外線センサを備えたアイセンサにより構成した例について示したが、これに限らず、遮蔽物検知手段をタッチパネルや温度センサなどで構成してもよい。
【００５４】
また、上記実施形態及び変形形態は適宜に組み合わせて用いることができるが、各実施形態の構成は図示と説明により明らかであるため、詳細な説明を省略する。更に、本発明は以上説明した実施形態によって限定されることはない。
【符号の説明】
【００５５】
１：カメラ、２：カメラ本体、３：レンズ鏡筒、７：撮像部、８：液晶モニタ、９：測距センサ、１０：ミラーユニット、１１：メインミラー、１２：サブミラー、１４：画像処理部、１５：制御部、２４：ファインダ、２５：接近検知部、３０：測光部、３２：測光センサ、３３：測光メモリ
【図１】
0005463975.tif 000002
【図２】
0005463975.tif 000003
【図３】
0005463975.tif 000004
【図４】
0005463975.tif 000005
【図５】
0005463975.tif 000006